(57)【要約】【目的】導電性接着剤のはみ出しを防止して振動特性を安定にする水晶振動子を提供する。【構成】金属ベースに設けられた一対の気密端子に接続し、互いに反対方向の外側に向かってスリットを有する傾斜部と、前記傾斜部から延出した垂直部と、前記垂直部から互いに反対方向の内側に向かうとともに上方に延出して先端側から溝を有する保持部とからなるサポータを備え、前記水晶片の下辺側両角部は前記スリットに挿入されるとともに前記水晶片の上辺側両角部は前記溝に挿入され、前記水晶片の上辺側両角部に導電性接着剤を塗布して前記サポータと固着してなる水晶振動子において、前記保持部は前記垂直部の先端側における幅方向の両側から一対の平板材が対向して延出するとともに前記一対の平板材の板面間を前記溝とし、前記水晶片の上辺側両角部を両主面側から覆うとともに、前記水晶片の上辺側両角部から突出した外周部を有する構成とする。【選択図】図１
2006311360.tif 000002
【特許請求の範囲】
【請求項１】
金属ベースに設けられた一対の気密端子に接続し、互いに反対方向の外側に向かってスリットを有する傾斜部と、前記傾斜部から延出した垂直部と、前記垂直部から互いに反対方向の内側に向かうとともに上方に延出して先端側から溝を有する保持部とからなるサポータを備え、水晶片の下辺側両角部は前記スリットに挿入されるとともに前記水晶片の上辺側両角部は前記溝に挿入され、前記水晶片の上辺側両角部に導電性接着剤を塗布して前記サポータと固着してなる水晶振動子において、前記保持部は前記垂直部の先端側における幅方向の両側から一対の平板材が対向して延出し、前記水晶片の上辺側両角部を両主面側から覆うとともに、前記水晶片の上辺側両角部から突出した外周部を有することを特徴とする水晶振動子。
【請求項２】
前記導電性接着剤は、前記水晶片の上辺側両角部から突出した外周部からの吸い込みによって塗布された請求項１の水晶振動子。
【請求項３】
前記水晶片は前記サポータの保持部の溝間に落とし込まれて、前記水晶片の下辺側両角部は前記スリットに挿入されるとともに前記水晶片の上辺側両角部は前記溝に挿入された請求項１の水晶振動子。
【請求項４】
前記サポータは前記気密端子のリード線を延出して平板加工によって形成された請求項１の水晶振動子。
【発明の詳細な説明】
【技術分野】
【０００１】
本発明は金属ベースを用いた水晶振動子を技術分野とし、特に金属ベース上に水晶片を垂直方向に保持した水晶振動子のサポータに関する。
【背景技術】
【０００２】
（発明の背景）
水晶振動子は各種の電子機器に周波数や時間の基準源として広く用いられ、このようなものの一つに金属ベースを用いた水晶振動子がある。近年では、周波数偏差等の規格も厳しく、振動特性を維持して生産性を高めるものが望まれている。
【０００３】
（従来技術の一例）
第４図は一従来例を説明する図で、同図（ａ）は水晶振動子の正面図、同図（ｂ）は側面図、同図（ｃ）はサポータの図である。
【０００４】
水晶振動子は金属ベース１のサポータ２に水晶片３を保持し、図示しないカバーを抵抗溶接等によって封止してなる。金属ベース１は一対の気密端子４を有し、内表面に突出した先端側にサポータ２を接続してなる。サポータ２は傾斜部２ａ、垂直部２ｂ及び保持部２ｃからなり、この例では気密端子４のリード線４ａを延出してプレス等による平板加工（潰し加工）によって形成される。図中の符号４ｂは気密端子とするためのガラスである。
【０００５】
サポータ２の傾斜部２ａは互いに反対方向の外側に向かって延出し、板面を貫通するスリット５を有する。垂直部２ｂは傾斜部２ａから上方に向かって延出する。保持部２ｃは互いに反対方向の内側に向かうとともに上方に延出したＬ字状とし、先端側からの溝６によって分割される。溝幅Ｗはスリットの幅よりも小さくする。これらの、スリット５や溝６及び折り曲げはプレス時に一体的に形成される。水晶片３は両主面に励振電極７を有し、両端側には励振電極７から延出して両辺に沿った引出電極８を有する。ここでは、引出電極８はそれぞれ反対面に折り返して形成される。
【０００６】
このようなものでは、第５図に示したように、先ず、金属ベース１上から水晶片３をサポータ２の保持部２ｃの溝６に落とし込んで、水晶片３の下辺側両角部を傾斜部２ａのスリット５に挿入するとともに、上辺側両角部を保持部２ｃの溝６に挿入する「同図（ａ）」。次に、水晶片３の上辺側両角部に、接着ノズル９からの一定量が吐出された導電性接着剤１０を押し当てて塗布する「第５図（ｂ）」。この場合、Ｌ字状とした保持部２ｃによって導電性接着剤１０の塗布領域が制限される「前第４図（ａ）」。そして、図示しない金属カバーを抵抗溶接し、水晶片３を密閉封入する。
【発明の開示】
【発明が解決しようとする課題】
【０００７】
（従来技術の問題点）
しかしながら、上記構成の水晶振動子では、接着ノズル９によって導電性接着剤１０を塗布する際、第５図（ｃ）に示したように、サポータ２の保持部２ｃから水晶片３の内部にはみ出して、振動特性を低下させる問題があった。この場合、サポータ２の溝６幅Ｗより水晶片３の厚みは小さいので、水晶片３の両主面とサポータ２との間隙から導電性接着剤１０がはみ出す。そして、導電性接着剤１０が振動領域となる水晶片３の中央領域に接近するほど、振動特性を低下させる。
【０００８】
このことから、サポータ２の溝６幅Ｗを小さくして導電性接着剤１０のはみ出しを防止することが考えられるが、この場合は、水晶片３の溝６への挿入を困難にする。また、保持部２ｃの先端にＶ字状の図示しないガイドがあったとしても、水晶片３の挿入時（落とし込み時）に、水晶片３の両主面がサポータ２に接触して傷等を生じさせる。したがって、挿入を容易にして傷等を防止する最小限の溝６幅が必要であった。
【０００９】
（発明の目的）
本発明は導電性接着剤のはみ出しを防止して振動特性を安定にする水晶振動子を提供することを目的とする。
【課題を解決するための手段】
【００１０】
本発明の特許請求の範囲（請求項１）に示したように、金属ベースに設けられた一対の気密端子に接続し、互いに反対方向の外側に向かってスリットを有する傾斜部と、前記傾斜部から延出した垂直部と、前記垂直部から互いに反対方向の内側に向かうとともに上方に延出して先端側から溝を有する保持部とからなるサポータを備え、水晶片の下辺側両角部は前記スリットに挿入されるとともに前記水晶片の上辺側両角部は前記溝に挿入され、前記水晶片の上辺側両角部に導電性接着剤を塗布して前記サポータと固着してなる水晶振動子において、前記保持部は前記垂直部の先端側における幅方向の両側から一対の平板材が対向して延出するとともに前記一対の平板材の板面間を前記溝とし、前記水晶片の上辺側両角部を両主面側から覆うとともに、前記水晶片の上辺側両角部から突出した外周部を有する構成とする。
【発明の効果】
【００１１】
このような構成であれば、一対の平板材の板面間を溝とした保持部の外周部に導電性接着剤を押し当てることによって、導電性接着剤が外周部の溝に吸い込まれ、さらに一対の平板材と水晶片の両主面との間に毛細管現象によって浸透する。そして、導電性接着剤は表面張力によって一対の平板材内に留まり、これより内部への流出を防止する。したがって、導電性接着剤は水晶片の上辺側両角部のみに確実に塗布される。
【発明を実施するための最良の形態】
【００１２】
本発明の請求項２に示したように、前記導電性接着剤は、前記水晶片の上辺側両角部から突出した外周部からの吸い込みによって塗布される。また、同請求項３では、前記水晶片は前記サポータの保持部の溝に落とし込まれて、前記水晶片の下辺側両角部は前記スリットに挿入されるとともに前記水晶片の上辺側両角部は前記溝に挿入される。また、同請求項４では前記サポータは前記気密端子のリード線を延出して平板加工によって形成される。
【実施例】
【００１３】
第１図は本発明の一実施例を説明する図で、同図（ａ）は水晶振動子の正面図、同図（ｂ）は側面図、同図（ｃ）はサポータの図である。なお、前従来例と同一部分の説明は簡略又は省略する。
【００１４】
水晶振動子は、前述したように、金属ベース１の気密端子４（リード線）が平板加工によって形成されたサポータ２に水晶片３を保持し、図示しないカバーを抵抗溶接等によって封止してなる。サポータ２は互いに反対方向の外側に向かって延出してスリット５を有する傾斜部２ａ、上方に向かう垂直部２ｂ及び本発明の特徴部である保持部２ｃからなる。
【００１５】
ここでの保持部２ｃは、垂直部２ｂの先端側における幅方向の両側から一対の平板材が対向して延出する。そして、水晶片３の上辺側両角部を両主面側から覆うとともに、水晶片３の上辺側両角部から突出した外周部を有する。これらは、リード線４ａの平板加工時に一体的に形成される。ここでは、保持部２ｃの幅を傾斜部２ｂの幅よりも狭くして、保持部２ｃの溝幅Ｗはスリット５の幅よりも小さくする。
【００１６】
このようなものでは、第２図に示したように、先ず、金属ベース１上から水晶片３をサポータ２の保持部２ｃの一対の平板材が形成する溝６間に落とし込む。そして、水晶片３の下辺側両角部を傾斜部２ａのスリット５に挿入するとともに、上辺側両角部を保持部２ｃの溝６に挿入する。この場合、水晶片３の上辺側両角部は一対の平板材に覆われ、水晶片３の上辺側両角部から外周部が突出する。
【００１７】
次に、水晶片３の上辺側両角部に接着ノズル９から吐出された一定量の導電性接着剤１０を保持部２ｃの外周部の上端側に押し当てる。これにより、導電性接着剤１０が外周部の溝６に吸い込まれる。さらに、一対の平板材と水晶片３の両主面との間に毛細管現象によって浸透する。そして、導電性接着剤１０は表面張力によって一対の平板材からなる保持部２ｃ内に留まり、これより内部への流出を防止する。したがって、導電性接着剤１０は水晶片３の上辺側両端部のみに確実に塗布される。
【００１８】
（他の事項）
上記実施例では、サポータ２は気密端子４のリード線４ａを延出して平板加工によって形成したが、独立したサポータ２を気密端子４にスポット溶接等によって接続してもよい。また、水晶片３の引出電極８は両端側の両辺に沿って両主面に形成したが、少なくとも両端側の上端側の一主面に形成されてあればよい。
【００１９】
また、サポータ２は平板加工としたが、例えば第３図に示したように垂直部２ｂはリード線４ａの円形状として保持部２ｃのみを平板状にしてもよい。但し、傾斜部２ａは平板加工される。要は、保持部２ｃが一対の平板材からなり、水晶片３の両端角部を覆って外周部が突出する構造であればよく、加工方法には制限を受けない。
【図面の簡単な説明】
【００２０】
【図１】本発明の一実施例を説明する図で、同図（ａ）は正面図、同図（ｂ）は側面図、同図（ｃ）はサポータの図である。
【図２】本発明の一実施例の製造工程を説明する水晶振動子の一部正面図である。
【図３】本発明の他の例を説明するサポータの図である。
【図４】従来例を説明する図で、同図（ａ）は正面図、同図（ｂ）は側面図、同図（ｃ）はサポータの図である。
【図５】従来例の製造工程を説明する水晶振動子の一部正面図である。
【符号の説明】
【００２１】
１  金属ベース、２  サポータ、３  水晶片、４  気密端子、５  スリット、６  溝、７  励振電極、８  引出電極、９  接着ノズル、１０  導電性接着剤。
【図１】
2006311360.tif 000003
【図２】
2006311360.tif 000004
【図３】
2006311360.tif 000005
【図４】
2006311360.tif 000006
【図５】
2006311360.tif 000007